(57)【特許請求の範囲】
【請求項１】
吐水部に人体検知センサ又は発光部を設けて成る水栓において、
前記吐水部のケースを上ケースと下ケースとの分割構造となすとともに、該上ケースと下ケースとを、該上ケースの下面側に形成した開口に該下ケースが嵌り合う形状となして該下ケースに、外周縁で開口し前記人体検知センサ又は発光部を該開口を通じて横方向に嵌め込む切欠形状の嵌込部を設け、該上ケースと下ケースとの嵌め合せにより前記上ケースの前記開口縁部にて該切欠形状の嵌込部の開口を閉じた状態とし、該嵌込部に嵌め込んだ前記人体検知センサ又は前記発光部を横方向に抜止め状態に固定したことを特徴とする水栓。
【発明の詳細な説明】
【０００１】
【発明の属する技術分野】
この発明は水栓に関し、特に吐水部への人体検知センサ又は発光部の取付構造に特徴を有するものに関する。
【０００２】
【従来の技術及び発明が解決しようとする課題】
従来、吐水部に人体検知センサを設け、その人体検知センサによる人体検知・非検知に基づいて吐水口からの吐水と吐水停止とを行う自動水栓が広く用いられている。
この種自動水栓は特に多数の人が使用する公共のトイレや洗面室等に設置される例が多いが、近年家庭用の自動水栓としても用いられるようになって来ている。
【０００３】
この自動水栓においては、吐水部に人体検知センサを取り付ける必要があり、その取付構造として従来、人体検知センサを吐水部のケースにねじ締結して固定する構造が採用されていた。
しかしながらこのように人体検知センサをねじ締結にて固定するようになした場合、人体検知センサからねじ締結用の固定部を延び出させなければならないとともに、そのためのスペースを吐水部の内部に確保しておかなければならず、必然的に吐水部が大型化してしまって吐水部の美観が損なわれる問題が生ずる。
【０００４】
また人体検知センサの取付構造として、人体検知センサに弾性クリップを一体的に設けておき、その弾性クリップによって吐水部のケースの被把持部を弾性的に把持させるといったことも考えられるが、このような弾性クリップによる取付構造では固定力が弱く、外部に露出状態にある人体検知センサに外部から力が加えられたとき等に外れてしまう恐れがある。
【０００５】
この種自動水栓において、吐水部に照明用の発光部を設けたものも従来提案されている（例えば実開平５−３１６８２）。
このような自動水栓又は通常の水栓において、発光部を吐水部に取り付けるに当り、これをねじ締結にて固定するようにすると上記と同様の問題が生ずる。
【０００６】
【課題を解決するための手段】
本発明の水栓はこのような課題を解決するために案出されたものである。
而して請求項１のものは、吐水部に人体検知センサ又は発光部を設けて成る水栓において、前記吐水部のケースを上ケースと下ケースとの分割構造となすとともに、該上ケースと下ケースとを、該上ケースの下面側に形成した開口に該下ケースが嵌り合う形状となして該下ケースに、外周縁で開口し前記人体検知センサ又は発光部を該開口を通じて横方向に嵌め込む切欠形状の嵌込部を設け、該上ケースと下ケースとの嵌め合せにより前記上ケースの前記開口縁部にて該切欠形状の嵌込部の開口を閉じた状態とし、該嵌込部に嵌め込んだ前記人体検知センサ又は前記発光部を横方向に抜止め状態に固定したことを特徴とする。
【０００７】
【作用及び発明の効果】
上記のように請求項１のものは、吐水部に人体検知センサ又は発光部（以下発光部等とする）を取り付けるにあたり、吐水部の上ケースと下ケースとを、上ケースの下面側に形成した開口に下ケースが嵌り合う形状となし、そしてその下ケースに切欠形状の嵌込部を設けてそこに発光部等を横方向に嵌め込み、そして上ケースと下ケースとを嵌め合せることで、その上ケースの開口縁部で切欠形状の嵌込部の開口を閉じた状態として発光部等を横方向に抜止め状態に固定するようになしたもので、この請求項１によれば、発光部等をねじ締結にて吐水部のケースに固定する場合のように、その発光部等からねじ締結用の固定部を延び出させる必要もないし、また吐水部の内部にそのねじ締結用の固定部を収容するスペースを確保する必要もなく、これにより発光部等を吐水部に取り付けた場合においても吐水部をコンパクトに構成でき、その美観を良好なものとなすことができる。
【０００８】
また発光部等の取付に際してねじ締結作業を必要とせず、単に発光部等を切欠形状の嵌込部に嵌め込んだ上、上ケースと下ケースとを合せて結合するだけで自動的に発光部等を吐水部に固定状態とできるため、発光部等の取付作業も簡単となる。
【０００９】
【実施例】
次に本発明の実施例を図面に基づいて詳しく説明する。
図１及び図２において、１０はキャビネットで一対の側板１２,１２、天板１４，底板１６及び図２に示す取手１８を備えた前面の扉２０を備えており、それらの内部に収納空間２２が形成されている。
ここで底板１６は、室の床２４から所定距離上側の位置に設けられている。また天板１４の上面から上向きに立ち上がるようにしてパネル２６が設けられている。
【００１０】
天板１４の上面にはまた、パネル２６の前部において手洗鉢２８が設置されている。この手洗鉢２８の底部の排水口からは排水管３０が下向きに延び出している。
【００１１】
図１及び図２において、３２は本例の自動手洗水栓（水栓）で、パネル２６に取り付けられた吐水部３４と、キャビネット１０内部において側板１２に取り付けられた本体部３６と、キャビネット１０の底板１６の下側に配設され、給水元管に接続された電磁弁３８とを有している。
【００１２】
本体部３６はボックス４０を有しており、図５に示すようにその内部に基板３９が収容されている。この基板３９上には商用電源を降圧して直流化する直流電源回路４３と、吐水部３４からの吐水と吐水停止，後述する発光部５４（図３，図４参照）における発光と発光停止等を制御する制御回路４５とが設けられている。
即ちこの本体部３６のボックス４０は、電源ボックスと制御ボックスとを兼ねたものとして構成されている。
尚、図５において４７は後述の電気配線４４，４６の接続部を覆蓋する蓋体である。
【００１３】
この本体部３６からは電源コード４１が延び出しており、その先端の差込プラグが図１に示しているように壁に設けられたコンセント４２に差込接続されている。
尚本例において、本体部３６のボックス４０内部に乾電池を収容し、これを電源として自動手洗水栓３２を作動させるようになすこともできる。
【００１４】
本体部３６からは、電気配線４４，４６が下向き及び上向きに延び出しており、それぞれが上記電磁弁３８及び吐水部３４に接続されている。
図１に示しているように、電磁弁３８からはまた給水管４８が上向きに延び出していてその先端部が吐水部３４に接続され、給水元管から給水された水が、この給水管４８を通じて吐水部３４へと導かれるようになっている。
【００１５】
図３及び図４に示しているように、吐水部３４はパネル２６から横向きに突き出しており、その前端近傍位置に吐水口５０が下向きに設けられている。
また吐水口５０の前部に、差し出された手や顔等を検知する人体検知センサ５２が設けられ、また吐水口５０の後部に、ＬＥＤにて構成した発光部５４が設けられている。発光部５４は、照射光が角度α（ここではα＝５０°）の広がりとなるように指向性が持たせてある。
【００１６】
ここで人体検知センサ５２は、差し出された手が吐水口５０の下方、厳密には吐水口５０からの吐水流を受ける位置に到達する前に手を検知できるように、その位置及び向きが定められている。
【００１７】
また発光部５４は、吐水口５０からの下向きの吐水流を後側から照射し、また照射された光の全体が図３中１点鎖線で示しているように手洗鉢２８内部に収まるように、その取付位置及び向きが定めてある。
【００１８】
本例の自動手洗水栓３２の場合、使用者が例えば手を洗うべく手洗鉢２８に手を差し出すと、人体検知センサ５２による検知に基づいて発光部５４の発光即ち照明が行われ、また吐水口５０からの吐水が行われる。
また手洗いを終えた後において手を引き戻すと、人体検知センサ５２による人体非検知に基づいて吐水口５０からの吐水停止、更にこれに遅れて発光部５４の発光停止、即ち照明停止が行われる。
【００１９】
かかる本例の自動手洗水栓３２においては、発光部５４からの照明光により吐水流を後側から照らし出し、また併せて手洗鉢２８内面を明るく照らした状態の下で手洗いを行うことができる。
【００２０】
水栓使用者はその照明の下に吐水流を明確に視認でき、明るく照らし出された手洗鉢２８内部において、照明光の光の下に手洗い行為を行うことができる。
このとき、手洗鉢２８内面に向けて発光部５４から照射された光によって手が明るく照らし出されるため、手の汚れの落ち具合も明確に分り、良好に手洗い行為を行うことができる。
【００２１】
図６に示しているように、上記吐水部３４は先端が閉鎖された形態の有底筒状のケース５６を有しており、そのケース５６の開口側の端部が、台座部材５８を介して上記パネル２６に固定されている。
【００２２】
ここでケース５６は、開口側の端部が台座部材５８に嵌合され、その嵌合状態において抜止クリップ６０により台座部材５８から抜け止めされている。
また台座部材５８は雄ねじ管６２を有していて、その雄ねじ管６２に対しパネル２６の裏側から固定ナット６４が三角パッキン６６を介してねじ込まれ、その固定ナット６４による締付力に基づいて台座部材５８がパネル２６に固定されている。
ここで台座部材５８は筒状をなしていて、その内部に上記給水管４８及び電気配線４６が挿通されている。
【００２３】
吐水部３４のケース５６は、図８及び図９に示しているように上ケース６８と下ケース７０とに分割されており、その下ケース７０の下面に上記吐水口５０が設けられている。
【００２４】
図９に示しているように、上ケース６８は下面側に開口７２を有している。
一方下ケース７０は略プレート状をなしていて平面形状が開口７２に対応した形状をなしており、かかる下ケース７０が上ケース６８の開口７２に嵌め合わされた状態で両者が上下に締結固定されている。
即ち下ケース７０には切欠形状の一対のねじ締結部７４が設けられる一方、上ケース６８には対応する位置において筒状のねじ締結部７６が設けられており、上ケース６８の開口７２に下ケース７０が嵌め合わされた状態で、それらねじ締結部７４，７６において上ケース６８と下ケース７０とがねじ７８により上下に締結固定されている。
【００２５】
図１０にも示しているように、下ケース７０には上面と下面とが開口形状をなす筒状の嵌込部８０が一体に形成されており、そこに人体検知センサ５２が上から下向きに嵌め込まれている。尚嵌め込まれた人体検知センサ５２は、嵌込部８０の下面の開口部で外部に露出した状態にある。
【００２６】
この人体検知センサ５２の上端部には、外向きに環状に突き出した鍔部８２が設けられており、その鍔部８２の下面の被当接面８４が筒状の嵌込部８０の上面の当接面８６に当接し、それら被当接面８４と当接面８６との当接作用によって、人体検知センサ５２の嵌込部８０への嵌込量が規定されている。
【００２７】
一方図７及び図９に示しているように、上ケース６８には人体検知センサ５２に対応する位置において、その上側に段付形状の押え部８８が一体に形成してあり、その押え部８８が人体検知センサ５２を下向きに押え付けている。
即ちこの例において人体検知センサ５２は、下ケース７０の嵌込部８０に嵌め込まれた状態で、下ケース７０と上ケース６８とによって上下から挟持されることで吐水部３４に固定状態とされている。
【００２８】
下ケース７０にはまた、図９及び図１０に示しているように外周縁で開口する切欠形状の嵌込部９０が設けられており、そこにＬＥＤにて構成した発光部５４が横向きに、詳しくは後方から前方に向けて嵌め込まれている。
【００２９】
図１０に示しているように、嵌込部９０には下ケース７０の裏側、即ち上面側において一対のアーム９２と、当接部９４と、被係止部９６とが設けられている。
他方発光部５４には、頭部９７から上側に離れた位置において被当接部１００と、先端に係止爪を有するばねクリップ９８とが設けられている。
【００３０】
而して発光部５４を切欠形状の嵌込部９０に横向きに嵌め込むと、このとき一対のアーム９２が発光部５４における頭部９７と被当接部１００，ばねクリップ９８との間に入り込み、また一方発光部５４における被当接部１００が、嵌込部９０側の当接部９４に当接して横方向の嵌込量が規定される一方、ばねクリップ９８の先端の係止爪が、嵌込部９０側の被係止部９６に係止した状態となり（図１０（Ａ）参照）、ここにおいて発光部５４が上下方向に拘束された状態となる。またばねクリップ９８の弾性係止力に基づいて抜止め状態に仮固定される。
【００３１】
而してこの状態で下ケース７０と上ケース６８とを嵌め合せると、ここにおいて切欠形状の嵌込部９０の開口が、上ケース６８の開口７２縁部で閉じられた状態となって、ここに発光部５４が完全に嵌込部９０から横方向に抜止め状態となる。
【００３２】
以上のように本例の自動手洗水栓３２は、人体検知センサ５２を上ケース６８と下ケース７０とにより上下から挟持する状態に固定してあることから、人体検知センサ５２をねじ締結にて固定する場合のようにねじ締結用の固定部を人体検知センサ５２から延び出させ、またそのためのスペースを吐水部３４の内部に確保する必要がない。
従って本例によれば吐水部３４を小型化することができ、その美観を高めることができる。
【００３３】
また単に人体検知センサ５２を上ケース６８と下ケース７０とで挟み込むだけで自動的に固定状態とできるため、人体検知センサ５２の取付作業も簡単で済む利点が得られる。
【００３４】
また本例では下ケース７０の嵌込部８０と、その嵌込量を規定する当接面８６及び被当接面８４と、上ケース６８に設けた押え部８８とで人体検知センサ５２を下ケース７０と上ケース６８とによる挟み込みで固定することができ、固定部の構造も簡単である。
【００３５】
更に発光部５４の固定に際しても下ケース７０に設けた嵌込部９０に発光部５４を横方向に嵌め込み、そして上ケース６８と下ケース７０とを嵌め合せるだけで発光部５４を横方向に抜止め状態に固定でき、発光部５４をねじ締結にて吐水部３４のケース５６に固定する場合のように、ねじ締結用の固定部を発光部５４から延び出させる必要もないし、また吐水部３４の内部にそのねじ締結用の固定部を収容するスペースを確保する必要もなく、吐水部３４をコンパクトに構成でき、その美観を良好なものとすることができる。
【００３６】
また発光部５４の取付に際してねじ締結作業を必要とせず、単に発光部５４を嵌込部９０に嵌め込んだ上、上ケース６８と下ケース７０とを合せて結合するだけで自動的に発光部５４を吐水部３４に固定状態となすことができるため、発光部５４の取付作業も簡単である。
【００３７】
以上本発明の実施例を詳述したがこれはあくまで一例示であり、本発明はその主旨を逸脱しない範囲において種々変更を加えた形態で構成可能である。
【図面の簡単な説明】
【図１】  本発明の一実施例である水栓を手洗鉢及びキャビネットとともに示す正面断面図である。
【図２】  同実施例の水栓を手洗鉢及びキャビネットとともに示す側面断面図である。
【図３】  同実施例の吐水部とその周辺部を示す図である。
【図４】  同実施例の吐水部の底面図である。
【図５】  同実施例の水栓の本体部を拡大して示す図である。
【図６】  同じ実施例の吐水部の内部構造を取付構造とともに示す縦断面図である。
【図７】  図６におけるア−ア断面図である。
【図８】  図６の吐水部を斜め下方から見た斜視図である。
【図９】  図８に示す各部材を分解して示す斜視図である。
【図１０】  図９に示す人体検知センサと発光部の取付構造を示す斜視図である。
【符号の説明】
３２  自動手洗水栓（水栓）
３４  吐水部
５０  吐水口
５２  人体検知センサ
５４  発光部
５６  ケース
６８  上ケース
７０  下ケース
７２  開口
８０  嵌込部
８４  被当接面
８６  当接面
８８  押え部
９０  嵌込部
【図１】
0003908581.tif 000002
【図２】
0003908581.tif 000003
【図３】
0003908581.tif 000004
【図４】
0003908581.tif 000005
【図５】
0003908581.tif 000006
【図６】
0003908581.tif 000007
【図７】
0003908581.tif 000008
【図８】
0003908581.tif 000009
【図９】
0003908581.tif 000010
【図１０】
0003908581.tif 000011